(57)【要約】【課題】収納した物品の操作面を透明窓を介して操作でき、かつ適切な操作性を実現する透明窓付きウエストバッグを提供する。【解決手段】  バッグ本体２は、長手方向から見てほぼフラットな形状であるとともに、長手方向の両側部で形成する帯状側部６から拡幅部８を介して上下方向の幅広の中間部１０に連続するように形成するとともに、この中間部１０の前面には中間部１０の幅方向ほぼ全体に亘って透明窓１２を設け、この透明窓１２を介して、中間部１０に収納した物品Ｔの操作面をタッチ操作できるように形成し、さらに上記基材４を構成する前半身４ａと後半身４ｂとの境界部分に、バッグ本体２の全長に亘って弾性力を有する上下一対の縁材２０を付設してなり  バッグ本体２を長手方向へ引っ張ったときに、その長手方向全長に亘って上記前半身４ａ及び後半身４ｂが引張方向へ伸びるとともに、上記縁材２０全体も緊張するように構成した【選択図】図１
2016077370.tif 000002
【特許請求の範囲】
【請求項１】
広い操作面を有する携帯電話機等の物品の収納に適したウエストバッグであって、
利用者のウエストに巻き付けるために水平横向きに細長くかつ柔軟で伸縮可能な基材(４)で形成されるとともに、長手方向の中間部(１０)に物品収納口(１４)を有する、略管状のバッグ本体(２)と、
このバッグ本体(２)の長手方向の両側に取り付けられた、相互に係合可能な一対の係止具(３０)と、を具備し、
上記バッグ本体(２)は、長手方向から見てほぼフラットな形状であるとともに、長手方向の両側部で形成する帯状側部(６)から拡幅部(８)を介して上下方向の幅広の中間部(１０)に連続するように形成するとともに、この中間部(１０)の前面には中間部(１０)の幅方向ほぼ全体に亘って透明窓(１２)を設け、この透明窓(１２)を介して、中間部(１０)に収納した物品(Ｔ)の操作面をタッチ操作できるように形成し、さらに上記基材(４)を構成する前半身(４ａ)と後半身(４ｂ)との境界部分に、バッグ本体(２)の全長に亘って弾性力を有する上下一対の縁材(２０) を付設してなり、
バッグ本体(２)を長手方向へ引っ張ったときに、その長手方向全長に亘って上記前半身(４ａ)及び後半身(４ｂ)が引張方向へ伸びるとともに、上記縁材(２０)全体も緊張するように構成したことを特徴とする、透明窓付きウエストバッグ。
【請求項２】
上記中間部(１０)の正面形状及び透明窓(１２)の正面形状が横長の矩形となるように設けたことを特徴とする、請求項１の透明窓付きウエストバッグ。
【請求項３】
上記バッグ本体(２)は、前方からみて上記帯状側部(６)の上下両端及び中間部(１０)の上下両端の輪郭が水平線(Ｅ２、Ｅ３)に、また帯状側部(６)から中間部(１０)に至るまでの拡幅部(８)の上下両端の輪郭線が弯曲線(Ｅ１) になるように設け、
かつ弯曲線(Ｅ１)の勾配が帯状側部(６)側から中間部(１０)に近づくにつれて零に漸近することで当該弯曲線(Ｅ１)が中間部(１０)の水平線(Ｅ３)に連続的につながるように形成したことを特徴とする、請求項２に記載の透明窓付きウエストバッグ。
【請求項４】
上記縁材(２０)で形成されるバッグ本体(２)の上下両側の輪郭を、上下対称に形成したことを特徴とする、請求項１から請求項３のいずれかに記載の透明窓付きウエストバッグ。
【発明の詳細な説明】
【技術分野】
【０００１】
本発明は、透明窓付きウエストバッグ、特に広い操作面を有する携帯電話等の物品を収納することができかつ収納状態のままで操作することに適した透明窓付きウエストバッグに関する。
【背景技術】
【０００２】
ウエストバッグとして、柔軟で伸縮可能な細長い管状のバッグ本体の両側に、相互に係合可能な係止具を取り付け、バッグ本体の長手方向中間部に物品収納口を有するものが知られている（特許文献１）。
【先行技術文献】
【特許文献】
【０００３】
【特許文献１】特開２０１２−１０１９０２
【非特許文献】
【０００４】
【非特許文献１】インターネットサイト  楽天市場  「iPhone64.7インチ対応アームバンドケース」検索日  平成２６年１０月１０日http://item.rakuten.co.jp/satex-j/sl-sa01-001-02/
【発明の概要】
【発明が解決しようとする課題】
【０００５】
特許文献１のウエストバッグは、広い操作面を有する携帯電話・スマートホンなどの物品でも伸縮可能なバッグ本体の中に好適に収納することができる。しかしながら、収納状態のままで物品の操作面を見たり、タッチ操作をするような用途までは想定していない。
【０００６】
ウエストバッグではないが、図１１に示すように腕に巻くために必要な長さのベルトを備え、ベルトの一部に縦長の広幅部として広幅部に縦長の透明窓を形成し、広幅部の裏面にポーチ形成用の矩形の布部の左右両端及び下端を逢着して、上面開口のポーチを設けたアームケースも知られている（非特許文献１）。
【０００７】
この非特許文献１のアームケースは腕に装着するものである。腕に装着する場合には、腕を視界に入る位置に動かして操作することにより、アームケースを腕に装着したままの状態で容易にタッチ操作をすることができる。しかしながら、ウエストバッグの状態では、バッグ本体の中間部の前面に透明窓を形成したときには、ウエストバッグを腰に巻いた状態のままでは透明窓がよく見えない。上記中間部を腰から外側へ引いて透明窓が上になるように傾けて操作すると、一応タッチ操作はできる。しかしながら、このときバッグ本体が長手方向に引っ張られるため、その引張り力が透明窓にも作用して透明窓が変形し、透明窓と操作面との間に隙間を生じ易い。隙間を生ずると、操作面上のボタン（アイコン）を押してもなかなかボタンが作動しないことがあり、操作性が低下する。
【０００８】
本発明の目的は、収納した物品の操作面を透明窓を介して操作でき、かつ適切な操作性を実現する透明窓付きウエストバッグを提供することである。
【課題を解決するための手段】
【０００９】
第１の手段は、
広い操作面を有する携帯電話機等の物品の収納に適したウエストバッグであって、
利用者のウエストに巻き付けるために水平横向きに細長くかつ柔軟で伸縮可能な基材４で形成されるとともに、長手方向の中間部１０に物品収納口１４を有する、略管状のバッグ本体２と、
このバッグ本体２の長手方向の両側に取り付けられた、相互に係合可能な一対の係止具３０と、を具備し、
上記バッグ本体２は、長手方向から見てほぼフラットな形状であるとともに、長手方向の両側部で形成する帯状側部６から拡幅部８を介して上下方向の幅広の中間部１０に連続するように形成するとともに、この中間部１０の前面には中間部１０の幅方向ほぼ全体に亘って透明窓１２を設け、この透明窓１２を介して、中間部１０に収納した物品Ｔの操作面をタッチ操作できるように形成し、さらに上記基材４を構成する前半身４ａと後半身４ｂとの境界部分に、バッグ本体２の全長に亘って弾性力を有する上下一対の縁材２０を付設してなり、
バッグ本体２を長手方向へ引っ張ったときに、その長手方向全長に亘って上記前半身４ａ及び後半身４ｂが引張方向へ伸びるとともに、上記縁材２０全体も緊張するように構成した。
【００１０】
本手段は、柔軟で伸縮可能なウエストバッグの基材４を構成する前半身４ａと後半身４ｂとの境界部分に、バッグ本体２の全長に亘って弾性力を有する上下一対の縁材２０を付設することを提案している。縁材２０は、ウエストバッグが長手方向に引っ張られるときの引張力の一部を引き込む、力の作用線として機能する。これにより、透明窓１２を横断する力の割合が低下するので、透明窓１２と物品の操作面Ｑとの間に生ずる隙間を低減することができる。
本手段において「前半身」及び「後半身」は、もともと一体に成形したものでも、別体の材料を接合したものでもよい。
【００１１】
第２の手段は、第１の手段を有し、かつ
上記中間部１０の正面形状及び透明窓１２の正面形状が横長の矩形となるように設けた。
【００１２】
本手段は、バッグ本体２の中間部１０の正面形状及び透明窓１２の正面形状が横長の矩形となるように設けることを提案している。これにより、透明窓の正面形状の矩形にする場合と比較して、透明窓の上下方向中央部と上下方向両端部との間の歪のばらつきが小さくなる。従って力の作用線として機能する。これにより、透明窓１２を横断する力の割合が低下するので、透明窓１２と物品の操作面Ｑとの間に生ずる隙間を低減することができる。
【００１３】
第３の手段は、第２の手段を有し、かつ
上記バッグ本体２は、前方からみて上記帯状側部６の上下両端及び中間部１０の上下両端の輪郭が水平線Ｅ２、Ｅ３に、また帯状側部６から中間部１０に至るまでの拡幅部８の上下両端の輪郭線が弯曲線Ｅ１になるように設け、
かつ弯曲線Ｅ１の勾配が帯状側部６側から中間部１０に近づくにつれて零に漸近することで当該弯曲線Ｅ１が中間部１０の水平線Ｅ３に連続的につながるように形成した。
【００１４】
本手段は、図１に示すように、拡幅部８の上下両端の弯曲線Ｅ１の勾配を、帯状側部６側から中間部１０に近づくにつれて零に漸近することを提案している。勾配が零とは水平方向に対する傾きが零という意味である。仮に勾配が９０°であると、拡幅部８の両側の縁線に作用する力は透明窓の上下方向両端を上下方向内側へ引っ張るように働くので、透明窓に大きな歪が生ずる。本手段の構成では、そうした不都合を生じないので、透明窓１２と物品の操作面Ｑとの間に生ずる隙間を低減することができる。
【００１５】
第４の手段は、第１の手段から第３の手段のいずれかを有し、かつ
上記縁材２０で形成されるバッグ本体２の上下両側の輪郭を、上下対称に形成した。
【００１６】
本手段は、図１に示すように、縁材２０で形成されるバッグ本体２の上下両側の輪郭を、上下対称にすることを提案する。これにより、透明窓の上側と下側とで力の作用方向の不均衡が生ずることがない。従って透明窓１２と物品の操作面Ｑとの間に隙間が生じにくい。
【発明の効果】
【００１７】
第１の手段に係る発明によれば、バッグ本体２の基材４を柔軟で伸縮可能な素材で形成したから、ウエストバッグを腰に装着したままで透明窓１２を介して物品Ｔの操作面Ｑを操作し易いとともに、柔軟なバッグ本体２を構成する前半身４ａと後半身４ｂとの境界部分に、バッグ本体２の全長に亘って弾性力を有する上下一対の縁材２０を付設したから、バッグバッグ本体２の長手方向に作用する引張力の少なくとも一部を縁材で形成する力の作用線に引き込むことができ、その中間部１０に収納した物品の操作面と透明窓との間に隙間が生じにくい。
第２の手段に係る発明によれば、中間部１０の正面形状及び透明窓１２の正面形状を横長の矩形としたから、透明窓１２の上下方向に亘って透明窓に作用する力の不均衡が生じにくく、透明窓と物品の操作面との間に隙間が生じにくい。
第３の手段に係る発明によれば、ウエストバッグ本体２の拡幅部８の上下の輪郭として現れる弯曲線Ｅ１が中間部１０の水平線Ｅ３に連続的につながるように形成したから、力の作用線としての縁材２０の機能を十分に発揮することができる。
第４の手段に係る発明によれば、縁材２０で形成されるバッグ本体２の上下両側の輪郭を、上下対称に形成したから、透明窓１２に作用する力が不均等となって透明窓１２と操作面Ｑとの間に隙間が生ずることを防止できる。
【図面の簡単な説明】
【００１８】
【図１】本発明の第１実施形態に係る透明窓付きウエストバッグの正面図である。
【図２】図１のウエストバッグの背面図である。
【図３】図１のウエストバッグの分解図である。
【図４】図１のウエストバッグの使用状態の説明図である。
【図５】図１のウエストバッグの作用を示す前方斜視図である。
【図６】図５と同じ作用を示す後方斜視図である。
【図７】本発明の第２実施形態に係る透明窓付きウエストバッグの断面図である。
【図８】図７のウエストバッグの分解図である。
【図９】本発明の第３実施形態に係る透明窓付きウエストバッグの正面図である。
【図１０】図１のウエストバッグの分解図である。
【図１１】従来のバッグを示す図である。
【発明を実施するための最良の形態】
【００１９】
図１から図６は、本発明の第１実施形態に係る透明窓付きウエストバッグの正面図である。このウエストバッグは、バッグ本体２と弾性ベルト２２と係止具３０とスライド具３２とで構成される。
【００２０】
バッグ本体２は、柔軟で伸縮可能な基材４の上下方向両端にそれぞれ縁材２０をバッグ本体２の水平な長手方向全長に亘って取り付けている。好適な図示例では、上記基材４を別体である前半身４ａ及び後半身４ｂとで形成し、これら半身の上端部同士、及び、下端部同士にそれぞれ縁材２０を被せ、図１に示す縫い目Ｓの形成箇所で縫製してなる。
【００２１】
なお、本明細書の「水平方向」、「上下方向」とは、ウエストバッグを起立姿勢の利用者が腰に巻いている状態での各方向をいうものとする。また「横」、「縦」などの用語もこれに準ずる。
【００２２】
上記バッグ本体２は、細長い一対の帯状側部６から拡幅部８を介して上下方向に幅広の中間部１０へ連続成形されるように設ける。中間部１０の前側には中間部の幅方向全長に亘って透明窓１２を形成する。中間部１０の正面形状及び透明窓１２の正面形状は、横向きの長方形状としている。上記透明窓１２は、透明材料で形成するものとし、特に伸縮性に乏しい透明材料（例えば透明フィルム）などで形成することができる。透明窓を除くバッグ本体部分は、布帛や弾性シートなどの布状材で形成することができる。
【００２３】
上記中間部１０の後側には物品収納口１４を形成する。物品収納口は、ジッパー手段を用いて開閉可能に設けることができる。
【００２４】
なお、好適な図示では、前半身４ａの中間部相当部分及び前半身４ａの帯状側部相当部分を別々の布状物で形成している。
【００２５】
上記縁材２０は、本実施形態において、断面形状略Ｕ字状又は逆Ｕ字状であり、前半身及び後半身の各端部に、これら端部に被せて逢着することで形成することができる。これら構造は適宜変更することができる。縁材２０は、弾性力を有し、すくなくとも上記基材４に比べて引張りに対する強く抵抗するものとする。これにより縁材２０は力の作用線としての機能を発揮する。さらに縁材２０は、ウエストバッグの基材４の上下の輪郭Ｅに沿って変形できる程度の柔軟性を有する。縁材２０は、これら機能及び作用を発揮する限り、どのような素材を用いて形成してもよい。例えばバイアステープで形成してもよい。
【００２６】
上記バッグ本体２の上下両側の輪郭Ｅは、帯状側部６及び中間部１０で水平線Ｅ２、Ｅ３とし、拡幅部で弯曲線Ｅ１とする。弯曲線の勾配は、帯状側部６側から中間部１０側へ向かって徐々に零になる。これにより、弯曲線は連続的に中間部１０の水平線Ｅ２につながる。  
【００２７】
弾性ベルト２２は、上記バッグ本体２内に長手方向全長に亘って挿通されており、弾性ベルト２２の両端部は前半身４ａ及び後半身４ｂの端部に縫い止めしている。弾性ベルト２２は、ウエストバッグを利用者の腰にぴったりと装着させるためのものである。
【００２８】
係止具３０及びスライド具３２は、従来公知の構造である。スライド具３２は、図示例において２つの挿通孔を有する“日”字形に形成される。これら２つの挿通孔に上記帯状側部６を通すとともに、挿通した帯状側部分の先端を、スライド具３２の２つの挿通孔を仕切る仕切り棒部分に固定して、その帯状側部分をループとする。このループには上記係止具３０を取り付ける。係止具３０同士は相互に着脱可能に形成されている。またスライド具３２をバッグ本体２の長手方向に移動することで、ウエストバッグの実質的な長さを調整することができる。
【００２９】
上記構成において、ウエストバッグの物品収納口１４を開き、物品を中間部１０に収納して腰に装着することができる。物品の操作面を操作するときには、図４に示すように、中間部１０を利用者の身体Ｂから離し、操作面Ｑが上になるように傾け、そしてタッチ操作を行えばよい。
【００３０】
ウエストバッグを腰に巻くときにバッグ本体には長手方向に引張り力が作用し、上述のように中間部１０を身体から外方へ離すときには上記引張り力は増加すると考えられる。本発明の構成においては、上記引張り力により、前半身４ａ及び後半身４ｂも引っ張られるが、縁材２０も引っ張られて緊張する。これにより、図５に黒矢印で示すように、引張り力のうちの少なくとも一部が縁材２０を力の作用線としてここを通る。従って透明窓１２を横断して作用する引張り力は低減するか、あるいは殆んど無くなるために、透明窓１２の歪が小さくなる。このように透明窓１２の歪を低減することで、透明窓１２と物品の操作面Ｑとの間の隙間が生じにくくなる。
【００３１】
なお、バッグ本体２の基材４を、一方向に引っ張るとこれと直交する方向に縮むタイプの布状体で形成したときには、図６に示すように、後半身４ｂが水平長手方向へ引っ張られることで、後半身４ｂが幅方向へ縮むことになる。そうすると、後半身４ｂによって中間部１０の縁材部分が後側へ引っ張られることになる。これにより前半身４ａの透明窓１２には上下方向外方へ引っ張り力が作用するので、透明窓１２の弛みが改善され、結果として、透明窓１２の歪がさらに小さくなる。
【００３２】
隙間の存在が存在すると、操作面上のボタンを軽く押しても押圧力がボタンに伝わらなくなり、ボタンをいちいちとしっかり押さないと操作できなくなり、操作性が悪いという問題が起こるが、本発明の構成では、このような問題を改善できる。
【００３３】
以下本発明の他の実施形態を説明する。これらの説明において第１実施形態と同じ構造に関しては解説を省略する。
【００３４】
図７から図８は、本発明の第２実施形態に係る透明窓付きウエストバッグを示している。本実施形態では、バッグ本体２の中間部１０に仕切り板１８を設けている。仕切り板１８は、中間部１０の内部空間を仕切り、仕切り板１８の前側に操作面を有する物品を、仕切り板１８の後側に他の小物類を入れることを可能としている。図示例の仕切り板１８は、その両端部を透明窓１２の水平方向両側の前半身部分に固定している。
【００３５】
図９から図１０は、本発明の第２実施形態に係る透明窓付きウエストバッグの正面図である。
本実施形態では、中間部１０の適所（図示例では）透明窓１２の左右両側に透孔１６を設けたものである。この透孔１６を介して、中間部内に収納された物品に接続したヘッドホン用のコード線を外部に引き出すことができる。
【符号の説明】
【００３６】
２…バッグ本体  ４…基材  ４ａ…前半身  ４ｂ…後半身  ６…帯状側部  ８…拡幅部
１０…中間部
１２…透明窓  １４…物品収納口  １６…透孔
１８…仕切り板
２０…縁材  ２２…弾性ベルト
３０…係止具  ３２…スライド具
Ｂ…身体
Ｅ…輪郭（エンドライン）  Ｅ１…弯曲線  Ｅ２…水平線  Ｅ３…水平線
Ｓ…縫い目
【図１】
2016077370.tif 000003
【図２】
2016077370.tif 000004
【図３】
2016077370.tif 000005
【図４】
2016077370.tif 000006
【図５】
2016077370.tif 000007
【図６】
2016077370.tif 000008
【図７】
2016077370.tif 000009
【図８】
2016077370.tif 000010
【図９】
2016077370.tif 000011
【図１０】
2016077370.tif 000012
【図１１】
2016077370.tif 000013